(57)【要約】【課題】１つの傾斜電圧発生回路から複数の傾斜電圧を発生させる。【解決手段】傾斜電圧発生回路は、定電流発生回路６０から入力される定電流に対して順方向に設けられ、初期電圧に重畳する積み上げ電圧を発生させるツェナーダイオードＤ１０を有し、走査電極駆動回路４３は、定電流発生回路６０の出力電流値を切換えるスイッチング素子Ｑ２１と、ツェナーダイオードＤ１０を電気的に短絡するスイッチング素子Ｑ２２とを有し、傾斜電圧発生回路は、初期化期間に所定の初期電圧に積み上げ電圧を重畳した電位から緩やかに上昇する第１の傾斜電圧と、維持期間の最後に第１の傾斜電圧よりも急峻な勾配で上昇する第２の傾斜電圧と、維持期間に第１の傾斜電圧と同じ勾配で上昇する第３の傾斜電圧と、初期化期間に所定の初期電圧から第１の傾斜電圧と同じ勾配で上昇する第４の傾斜電圧とを発生させる。【選択図】図６
2010019961.tif 000002
【特許請求の範囲】
【請求項１】
初期化期間と書込み期間と維持期間とを有するサブフィールドを１フィールド内に複数設けて階調表示するサブフィールド法で駆動するとともにサブフィールド構成の異なる第１のサブフィールド構成と第２のサブフィールド構成とを含む複数のサブフィールド構成のいずれかを用いて駆動する、複数の走査電極を有するプラズマディスプレイパネルと、
前記維持期間に輝度重みに応じた回数の維持パルスを発生する維持パルス発生回路、入力される定電流に対して順方向に設けられ所定の初期電圧に重畳する積み上げ電圧を発生するツェナーダイオードを有し上昇する傾斜電圧を発生する傾斜電圧発生回路、および前記傾斜電圧発生回路に入力する前記定電流を発生する定電流発生回路を有する走査電極駆動回路とを備え、
前記走査電極駆動回路は、
前記定電流発生回路の出力電流値を切換える第１のスイッチング素子と、前記ツェナーダイオードを電気的に短絡する第２のスイッチング素子とを有し、
前記初期化期間に前記初期電圧に前記積み上げ電圧を重畳した電位から上昇する第１の傾斜電圧を発生し、前記維持期間の最後に前記第１の傾斜電圧よりも急峻な勾配で上昇する第２の傾斜電圧を発生し、前記維持期間に前記第１の傾斜電圧と同じ勾配で上昇する第３の傾斜電圧を発生し、前記初期化期間に前記初期電圧から前記第１の傾斜電圧と同じ勾配で上昇する第４の傾斜電圧を発生するとともに、
前記第１のサブフィールド構成においては、少なくとも１つの前記サブフィールドの前記初期化期間に前記第１の傾斜電圧を発生し、
前記第２のサブフィールド構成においては、少なくとも１つの前記サブフィールドの前記初期化期間に前記第４の傾斜電圧を発生し、かつ、他の１つの前記サブフィールドの前記維持期間に前記維持パルスおよび前記第２の傾斜電圧を発生せず前記第３の傾斜電圧だけを発生することを特徴とするプラズマディスプレイ装置。
【請求項２】
前記走査電極駆動回路は、前記第１のスイッチング素子と前記第２のスイッチング素子とを１つの制御信号で同時に動作させるように構成したことを特徴とする請求項１に記載のプラズマディスプレイ装置。
【請求項３】
複数の走査電極を有するプラズマディスプレイパネルを、初期化期間と書込み期間と維持期間とを有するサブフィールドを１フィールド内に複数設けて階調表示するサブフィールド法により駆動するとともに、サブフィールド構成の異なる第１のサブフィールド構成と第２のサブフィールド構成とを含む複数のサブフィールド構成のいずれかを用いて駆動するプラズマディスプレイパネルの駆動方法であって、
前記維持期間に輝度重みに応じた回数の維持パルスを発生する維持パルス発生回路と、入力される定電流に対して順方向に設けられ所定の初期電圧に重畳する積み上げ電圧を発生させるツェナーダイオードを有し上昇する傾斜電圧を発生する傾斜電圧発生回路と、前記傾斜電圧発生回路に入力する前記定電流を発生する定電流発生回路とを有する走査電極駆動回路に、前記定電流発生回路の出力電流値を切換える第１のスイッチング素子と、前記ツェナーダイオードを電気的に短絡する第２のスイッチング素子とを設けて前記プラズマディスプレイパネルを駆動し、
前記初期化期間に前記初期電圧に前記積み上げ電圧を重畳した電位から上昇する第１の傾斜電圧を発生し、前記維持期間の最後に前記第１の傾斜電圧よりも急峻な勾配で上昇する第２の傾斜電圧を発生し、前記維持期間に前記第１の傾斜電圧と同じ勾配で上昇する第３の傾斜電圧を発生し、前記初期化期間に前記初期電圧から前記第１の傾斜電圧と同じ勾配で上昇する第４の傾斜電圧を発生するとともに、
前記第１のサブフィールド構成においては、少なくとも１つの前記サブフィールドの前記初期化期間に前記第１の傾斜電圧を発生し、
前記第２のサブフィールド構成においては、少なくとも１つの前記サブフィールドの前記初期化期間に前記第４の傾斜電圧を発生し、かつ、他の１つの前記サブフィールドの前記維持期間に前記維持パルスおよび前記第２の傾斜電圧を発生せず前記第３の傾斜電圧だけを発生することを特徴とするプラズマディスプレイパネルの駆動方法。
【請求項４】
前記第１の傾斜電圧を発生するときには、前記第１のスイッチング素子と前記第２のスイッチング素子とを遮断したまま前記定電流発生回路から前記傾斜電圧発生回路に前記定電流を供給し、
前記第２の傾斜電圧を発生するときには、前記第１のスイッチング素子と前記第２のスイッチング素子とを導通させたまま前記定電流発生回路から前記傾斜電圧発生回路に前記定電流を供給し、
前記第３の傾斜電圧および前記第４の傾斜電圧を発生するときには、前記定電流発生回路から前記傾斜電圧発生回路に前記定電流の供給を開始するまでは前記第１のスイッチング素子と前記第２のスイッチング素子とを導通させたままとし、前記定電流発生回路から前記傾斜電圧発生回路に前記定電流の供給を開始した直後に前記第１のスイッチング素子と前記第２のスイッチング素子とを遮断することを特徴とする請求項３に記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールドを複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、走査電極に走査パルス電圧を印加するとともにデータ電極に選択的に書込みパルス電圧を印加して表示を行うべき放電セルに選択的に書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００７】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【０００８】
また、上述の特許文献１には、維持期間における最後の維持パルスのパルス幅を他の維持パルスのパルス幅よりも短くし、表示電極対間の壁電荷による電位差を緩和する、いわゆる細幅消去放電についても記載されている。この細幅消去放電によって、続くサブフィールドの書込み期間における書込み動作を安定させ、コントラスト比の高いプラズマディスプレイ装置を実現することができる。
【０００９】
また、維持期間において表示電極対への維持パルスの印加が終了した後に、上昇する傾斜電圧を維持電極に印加して放電セル内の壁電荷を消去する技術が開示されている（例えば、特許文献２参照）。
【００１０】
また、維持期間において表示電極対への維持パルスの印加が終了した後に、所定の電圧まで上昇した後その電圧を一定期間維持する傾斜電圧を走査電極に印加し、その後上昇する傾斜電圧を維持電極に印加して放電セル内の壁電荷を消去する技術が開示されている（例えば、特許文献３参照）。
【００１１】
また、維持期間において表示電極対への維持パルスの印加が終了した後に、上昇する傾斜電圧を走査電極に印加するとともにその傾斜を表示画像の平均輝度に応じて変更することで放電セル内の壁電荷を消去する技術が開示されている（例えば、特許文献４参照）。
【特許文献１】特開２０００−２４２２２４号公報
【特許文献２】特開２００４−３４８１４０号公報
【特許文献３】特開２００５−１４１２２４号公報
【特許文献４】特開２００３−５７００号公報
【発明の開示】
【発明が解決しようとする課題】
【００１２】
特許文献２、特許文献３に記載された技術では、維持電極に印加する傾斜電圧を発生させるための回路が必要となり、また、特許文献４に記載された技術では傾斜電圧の傾斜を変更させるための回路が必要となるため、いずれにおいても回路の規模が増大する。
【００１３】
また、近年、パネルの高精細化にともない放電セルのさらなる微細化が進んでいる。この微細化された放電セルでは、壁電荷が失われる「電荷抜け」と呼ばれる現象が生じやすいことが確認されており、この電荷抜けが発生すると、放電不良が発生して画像表示品質を劣化させたり、あるいは、放電の発生に必要な印加電圧が上昇する等の問題が生じる。この電荷抜けを防止するためには書込み放電をできるだけ安定に発生させることが有効である。
【００１４】
一方、近年におけるパネルのさらなる大画面化、高精細化にともない、パネルの駆動インピーダンスは増大する傾向にある。そして、駆動インピーダンスが増大すると、パネルの駆動回路から発生される駆動波形にリンギング等の波形歪みが生じやすくなる。上述の細幅消去放電は、続くサブフィールドの書込み動作を安定させることを目的としたものであるが、例えば、この細幅消去放電を発生させるための駆動波形に波形歪みが生じると、細幅消去放電そのものが強く発生してしまい、続く書込み放電が不安定になることがあった。
【００１５】
また、近年では、パネルの大型化、高輝度化、高精細化にともない、プラズマディスプレイ装置におけるさらなる画像表示品質の向上が望まれている。一方で、駆動が複雑化し、駆動回路を制御する制御信号の数も増大している。
【００１６】
本発明はこのような課題に鑑みなされたものであり、大画面化、高精細化されたパネルにおいて、書込み放電を安定に発生させ画像表示品質を向上させるとともに、制御信号を削減して１つの傾斜電圧発生回路から複数の異なる傾斜電圧を発生させることができるプラズマディスプレイ装置およびパネルの駆動方法を提供することを目的とする。
【課題を解決するための手段】
【００１７】
本発明のプラズマディスプレイ装置は、初期化期間と書込み期間と維持期間とを有するサブフィールドを１フィールド内に複数設けて階調表示するサブフィールド法で駆動するとともにサブフィールド構成の異なる第１のサブフィールド構成と第２のサブフィールド構成とを含む複数のサブフィールド構成のいずれかを用いて駆動する、複数の走査電極を有するパネルと、維持期間に輝度重みに応じた回数の維持パルスを発生する維持パルス発生回路、入力される定電流に対して順方向に設けられ所定の初期電圧に重畳する積み上げ電圧を発生するツェナーダイオードを有し上昇する傾斜電圧を発生する傾斜電圧発生回路、および傾斜電圧発生回路に入力する定電流を発生する定電流発生回路を有する走査電極駆動回路とを備え、走査電極駆動回路は、定電流発生回路の出力電流値を切換える第１のスイッチング素子と、ツェナーダイオードを電気的に短絡する第２のスイッチング素子とを有し、初期化期間に初期電圧に積み上げ電圧を重畳した電位から上昇する第１の傾斜電圧を発生し、維持期間の最後に第１の傾斜電圧よりも急峻な勾配で上昇する第２の傾斜電圧を発生し、維持期間に第１の傾斜電圧と同じ勾配で上昇する第３の傾斜電圧を発生し、初期化期間に初期電圧から第１の傾斜電圧と同じ勾配で上昇する第４の傾斜電圧を発生するとともに、第１のサブフィールド構成においては、少なくとも１つのサブフィールドの初期化期間に第１の傾斜電圧を発生し、第２のサブフィールド構成においては、少なくとも１つのサブフィールドの初期化期間に第４の傾斜電圧を発生し、かつ、他の１つのサブフィールドの維持期間に維持パルスおよび第２の傾斜電圧を発生せず第３の傾斜電圧だけを発生することを特徴とする。
【００１８】
これにより、第１のスイッチング素子、第２のスイッチング素子の導通と遮断とを切換えることにより、傾斜電圧発生回路に入力する定電流の電流量、ツェナーダイオードの有無を切換えられるので、１つの傾斜電圧発生回路から、第１の傾斜電圧、第２の傾斜電圧、第３の傾斜電圧、第４の傾斜電圧の４つの異なる傾斜電圧を発生させることができる。例えば、維持期間に、維持パルスによる維持放電および第２の傾斜電圧による消去放電を発生させず、第３の傾斜電圧による微弱な発光だけを発生させれば、維持放電を１回発生させるよりも低い輝度で放電セルを発光させ、そのサブフィールドが画像表示に寄与する輝度を低くして、細やかな階調の表示を実現することができる。あるいは、維持期間の最後に、第２の傾斜電圧を走査電極に印加して微弱な消去放電を持続して発生させれば、大画面化、高精細化されたパネルであっても、放電セル内の壁電圧を続く書込み動作が安定に行えるように最適に調整し、書込み放電を安定に発生させることができる。
【００１９】
また、このプラズマディスプレイ装置において、走査電極駆動回路は、第１のスイッチング素子と第２のスイッチング素子とを１つの制御信号で同時に動作させるように構成したことを特徴とする。
【００２０】
このプラズマディスプレイ装置は、ツェナーダイオードを傾斜電圧発生回路に入力される定電流に対して順方向になるように配置しており、第１のスイッチング素子、第２のスイッチング素子を１つの制御信号で同時に動作させる構成のまま、傾斜電圧の開始電圧における積み上げ電圧の有無と傾斜電圧の勾配とをそれぞれ制御することができるので、制御信号の数を削減することができる。
【００２１】
また、本発明のパネルの駆動方法は、複数の走査電極を有するパネルを、初期化期間と書込み期間と維持期間とを有するサブフィールドを１フィールド内に複数設けて階調表示するサブフィールド法により駆動するとともに、サブフィールド構成の異なる第１のサブフィールド構成と第２のサブフィールド構成とを含む複数のサブフィールド構成のいずれかを用いて駆動するパネルの駆動方法であって、維持期間に輝度重みに応じた回数の維持パルスを発生する維持パルス発生回路と、入力される定電流に対して順方向に設けられ所定の初期電圧に重畳する積み上げ電圧を発生させるツェナーダイオードを有し上昇する傾斜電圧を発生する傾斜電圧発生回路と、傾斜電圧発生回路に入力する定電流を発生する定電流発生回路とを有する走査電極駆動回路に、定電流発生回路の出力電流値を切換える第１のスイッチング素子と、ツェナーダイオードを電気的に短絡する第２のスイッチング素子とを設けてパネルを駆動し、初期化期間に初期電圧に積み上げ電圧を重畳した電位から上昇する第１の傾斜電圧を発生し、維持期間の最後に第１の傾斜電圧よりも急峻な勾配で上昇する第２の傾斜電圧を発生し、維持期間に第１の傾斜電圧と同じ勾配で上昇する第３の傾斜電圧を発生し、初期化期間に初期電圧から第１の傾斜電圧と同じ勾配で上昇する第４の傾斜電圧を発生するとともに、第１のサブフィールド構成においては、少なくとも１つのサブフィールドの初期化期間に第１の傾斜電圧を発生し、第２のサブフィールド構成においては、少なくとも１つのサブフィールドの初期化期間に第４の傾斜電圧を発生し、かつ、他の１つのサブフィールドの維持期間に維持パルスおよび第２の傾斜電圧を発生せず第３の傾斜電圧だけを発生することを特徴とする。
【００２２】
これにより、第１のスイッチング素子、第２のスイッチング素子の導通と遮断とを切換えることにより、傾斜電圧発生回路に入力する定電流の電流量、ツェナーダイオードの有無を切換えられるので、１つの傾斜電圧発生回路から、第１の傾斜電圧、第２の傾斜電圧、第３の傾斜電圧、第４の傾斜電圧の４つの異なる傾斜電圧を発生させることができる。例えば、維持期間に、維持パルスによる維持放電および第２の傾斜電圧による消去放電を発生させず、第３の傾斜電圧による微弱な発光だけを発生させれば、維持放電を１回発生させるよりも低い輝度で放電セルを発光させ、そのサブフィールドが画像表示に寄与する輝度を低くして、細やかな階調の表示を実現することができる。あるいは、維持期間の最後に、第２の傾斜電圧を走査電極に印加して微弱な消去放電を持続して発生させれば、大画面化、高精細化されたパネルであっても、放電セル内の壁電圧を続く書込み動作が安定に行えるように最適に調整し、書込み放電を安定に発生させることができる。
【００２３】
また、本発明のパネルの駆動方法では、第１の傾斜電圧を発生するときには、第１のスイッチング素子と第２のスイッチング素子とを遮断したまま定電流発生回路から傾斜電圧発生回路に定電流を供給し、第２の傾斜電圧を発生するときには、第１のスイッチング素子と第２のスイッチング素子とを導通させたまま定電流発生回路から傾斜電圧発生回路に定電流を供給し、第３の傾斜電圧および第４の傾斜電圧を発生するときには、定電流発生回路から傾斜電圧発生回路に定電流の供給を開始するまでは第１のスイッチング素子と第２のスイッチング素子とを導通させたままとし、定電流発生回路から傾斜電圧発生回路に定電流の供給を開始した直後に第１のスイッチング素子と第２のスイッチング素子とを遮断することを特徴とする。
【００２４】
これにより、第１のスイッチング素子、第２のスイッチング素子を１つの制御信号で同時に動作させる構成のまま、傾斜電圧の開始電圧における積み上げ電圧の有無と傾斜電圧の勾配とをそれぞれ制御することができ、制御信号の数を削減することができる。
【発明の効果】
【００２５】
本発明によれば、大画面化、高精細化されたパネルにおいて、書込み放電を安定に発生させ画像表示品質を向上させるとともに、制御信号を削減して１つの傾斜電圧発生回路から複数の異なる傾斜電圧を発生させることができるプラズマディスプレイ装置およびパネルの駆動方法を提供することが可能となる。
【発明を実施するための最良の形態】
【００２６】
以下、本発明の実施の形態におけるプラズマディスプレイ装置について、図面を用いて説明する。
【００２７】
（実施の形態）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２８】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２９】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３０】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００３１】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００３２】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。なお、図１、図２に示したように、走査電極ＳＣｉと維持電極ＳＵｉとは互いに平行に対をなして形成されているので、走査電極ＳＣ１〜走査電極ＳＣｎと維持電極ＳＵ１〜維持電極ＳＵｎとの間に大きな電極間容量Ｃｐが存在する。
【００３３】
次に、パネル１０を駆動するための駆動電圧波形とその動作の概要について説明する。なお、本実施の形態におけるプラズマディスプレイ装置は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって階調表示を行うものとする。この輝度重みとは、各サブフィールドに与えられる明るさの比重を表すものであり、輝度重みの大きいサブフィールドでは維持期間における維持放電の発生回数を多くして明るさの比重を大きくし、輝度重みの小さいサブフィールドでは維持期間における維持放電の発生回数を少なくして明るさの比重を小さくする。
【００３４】
また、本実施の形態では、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）。これにより、画像の表示に関係のない発光は全セル初期化サブフィールドにおける全セル初期化動作の放電にともなう発光のみとなる。したがって、維持放電を発生させない黒表示領域の輝度である黒輝度は全セル初期化動作における微弱発光だけとなり、コントラストの高い画像表示が可能となる。
【００３５】
ここで、本実施の形態では、表示画像の明るさを優先したサブフィールド構成（以下、１フィールドを構成するサブフィールドの数、各サブフィールドの輝度重み、サブフィールドの並び、全セル初期化サブフィールドと選択初期化サブフィールドの割り当て等の構成を総称してサブフィールド構成と呼ぶ）と、表示画像の階調の滑らかさを優先したサブフィールド構成とを切換えて、パネル１０を駆動する構成としている。
【００３６】
表示画像の明るさを優先したサブフィールド構成では、例えば、１フィールドを８つのサブフィールド（第１ＳＦ、第２ＳＦ、・・・、第８ＳＦ）で構成し、各サブフィールドにそれぞれ（１、２、４、８、１６、３２、６４、１２８）の輝度重みを設定する。このように１フィールドを構成するサブフィールド数を少なくすることで、輝度倍率を大きくし、表示画像の明るさを向上させることができる。
【００３７】
なお、この輝度倍率とは、輝度重みに乗算する係数のことであり、各サブフィールドの維持期間においては、それぞれのサブフィールドの輝度重みに所定の輝度倍率を乗じた数の維持パルスが表示電極対２４のそれぞれに印加される。１フィールドの時間的な長さは決まっているので、サブフィールド数を少なくすることで維持期間に割り当てることができる時間を長くすることができ、その分輝度倍率を大きくしてより多くの維持パルスを発生させることができる。
【００３８】
表示画像の階調の滑らかさを優先したサブフィールド構成では、例えば、１フィールドを１１のサブフィールド（第１ＳＦ、第２ＳＦ、・・・、第１１ＳＦ）で構成し、各サブフィールドにそれぞれ（０．２５、１、２、３、６、１１、１８、３０、４４、６０、８０）の輝度重みを設定する。このように１フィールドを構成するサブフィールド数を多くすることで、輝度倍率の上限は制限されるが、表示画像の階調の滑らかさを向上させることができる。なお、本実施の形態における「輝度重み０．２５」とは、「輝度重み１」の４分の１の輝度重みを表すのではなく、１回の維持放電で発生する発光よりも微弱な発光を生じさせることを表す。そして、詳細については後述するが、本実施の形態において、「輝度重み０．２５」の維持期間では、維持パルスによる維持放電および消去ランプ電圧Ｌ３による消去放電は発生させず、後述する傾斜電圧の印加による放電だけを発生させるものとする。これにより、「輝度重み１」よりも発光輝度の低いサブフィールドを画像表示に用いることができるようになるので、より細やかな階調の表示が可能となり、表示画像の階調の滑らかさをさらに向上させることが可能となる。
【００３９】
また、本実施の形態では、維持期間の最後に傾斜電圧を発生させており、これにより、続くサブフィールドの書込み期間における書込み動作を安定させている。以下、まず表示画像の明るさを優先したサブフィールド構成（以下、「第１のサブフィールド構成」と呼称する）における駆動電圧波形の概要を、続いて表示画像の階調の滑らかさを優先したサブフィールド構成（以下、「第２のサブフィールド構成」と呼称する）における駆動電圧波形の概要を説明し、続いて駆動回路の構成について説明する。
【００４０】
図３は、本発明の一実施の形態の第１のサブフィールド構成におけるパネル１０の各電極に印加する駆動電圧波形図である。図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００４１】
なお、本実施の形態における第１のサブフィールド構成では、第１ＳＦの初期化期間では全セル初期化動作を行い、第２ＳＦ〜第８ＳＦの初期化期間では選択初期化動作を行うものとする。そして、図３には、２つのサブフィールドの駆動電圧波形、すなわち全セル初期化サブフィールドである第１ＳＦと、選択初期化サブフィールドである第２ＳＦとを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００４２】
まず、全セル初期化サブフィールドである第１ＳＦについて説明する。
【００４３】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から電圧Ｖｓｃを印加した後、さらに所定の初期電圧である電圧Ｖｓｃに積み上げ電圧を重畳した電圧Ｖｉ１を印加する。なお、この積み上げ電圧は後述するツェナーダイオードによって発生させる。このとき、電圧Ｖｉ１は、放電開始電圧以下の電圧にする。さらに電圧Ｖｉ１から、維持電極ＳＵ１〜維持電極ＳＵｎに対して放電開始電圧を超える電圧Ｖｉ２に向かって緩やかに（例えば、約１．３Ｖ／μｓｅｃの勾配で）上昇する第１の傾斜電圧（以下、「上りランプ電圧Ｌ１」と呼称する）を印加する。
【００４４】
なお、第１のサブフィールド構成における第１ＳＦでは、電圧Ｖｓｃに積み上げ電圧を重畳した電圧Ｖｉ１から上りランプ電圧Ｌ１を発生させることで、電圧Ｖｓｃから上りランプ電圧を発生させるときよりも初期化期間を短縮している。例えば、積み上げ電圧が４５（Ｖ）であり、上りランプ電圧Ｌ１の勾配が１．３Ｖ／μｓｅｃであれば、約３４．６μｓｅｃの時間短縮を図ることができる。このようにして初期化期間を短縮した分を維持期間に割り当てれば、維持パルスの発生数を増加させ、画像をより明るく表示することができる。
【００４５】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００４６】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧Ｖｉ４に向かって緩やかに下降する下り傾斜電圧（以下、「下りランプ電圧」と呼称する）Ｌ２を印加する。
【００４７】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００４８】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４９】
この書込み期間では、まず維持電極ＳＵ１〜維持電極ＳＵｎに電圧Ｖｅ２を、走査電極ＳＣ１〜走査電極ＳＣｎに（電圧Ｖａ＋電圧Ｖｓｃ）を印加する。
【００５０】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００５１】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００５２】
続く維持期間では、輝度重みに所定の輝度倍率を乗じた数の維持パルスを表示電極対２４に交互に印加して、書込み放電を発生した放電セルで維持放電を発生させて発光させる。
【００５３】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００５４】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００５５】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与えることにより、書込み期間において書込み放電を起こした放電セルで維持放電が継続して行われる。
【００５６】
そして、維持期間の最後には、走査電極ＳＣ１〜走査電極ＳＣｎに、ベース電位となる０（Ｖ）から電圧Ｖｅｒｓに向かって緩やかに上昇する第２の傾斜電圧（以下、「消去ランプ電圧Ｌ３」と呼称する）を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。
【００５７】
具体的には、維持電極ＳＵ１〜維持電極ＳＵｎを０（Ｖ）に戻した後、ベース電位となる０（Ｖ）から放電開始電圧を超える電圧Ｖｅｒｓに向かって上昇する第２の傾斜電圧である消去ランプ電圧Ｌ３を、第１の傾斜電圧である上りランプ電圧Ｌ１よりも急峻な勾配、例えば約１０Ｖ／μｓｅｃの勾配で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで降下させる。
【００５８】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。以下、この消去ランプ電圧Ｌ３によって発生させる維持期間の最後の放電を「消去放電」と呼称する。
【００５９】
なお、本実施の形態では、電圧Ｖｅｒｓの電圧値を維持パルス電圧Ｖｓ（例えば、２００（Ｖ））とほぼ等しい電圧に設定しているが、本実施の形態においては電圧Ｖｅｒｓの電圧値を、維持パルス電圧Ｖｓ−１０（Ｖ）以上かつ維持パルス電圧Ｖｓ＋１０（Ｖ）以下の電圧範囲に設定することが望ましい。電圧Ｖｅｒｓの電圧値をこの上限値よりも大きくすると壁電圧の調整が過剰となり、また、下限値よりも小さくすると壁電圧の調整が不足して、それぞれ続く書込み動作を安定に行えないおそれがあるためである。
【００６０】
また、本実施の形態では、消去ランプ電圧Ｌ３の勾配を約１０Ｖ／μｓｅｃにする構成を説明したが、この勾配は、２Ｖ／μｓｅｃ以上２０Ｖ／μｓｅｃ以下に設定することが望ましい。勾配をこの上限値よりも急峻にすると壁電圧を調整するための放電が微弱な放電とならず、また、勾配をこの下限値よりも緩やかにすると放電そのものが微弱になりすぎてしまい、それぞれ壁電圧の調整がうまく行えないおそれがあるためである。
【００６１】
その後、走査電極ＳＣ１〜走査電極ＳＣｎを０（Ｖ）に戻し、維持期間における維持動作が終了する。
【００６２】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ電圧Ｌ４を印加する。
【００６３】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。
【００６４】
第２ＳＦの書込み期間では、第１ＳＦの書込み期間と同様の駆動波形を印加し、第２ＳＦの維持期間では、第１ＳＦの維持期間と同様にあらかじめ定められた数の維持パルスを表示電極対２４に交互に印加する。そして、維持期間の最後には、第１ＳＦの維持期間と同様に、走査電極ＳＣ１〜走査電極ＳＣｎに消去ランプ電圧Ｌ３を印加し、維持放電を発生させた放電セルに消去放電を発生させる。
【００６５】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルスの発生数が異なる以外は第２ＳＦと同様の駆動波形を印加する。
【００６６】
以上が、第１のサブフィールド構成におけるパネル１０の各電極に印加する駆動電圧波形の概要である。続いて、第２のサブフィールド構成におけるパネル１０の各電極に印加する駆動電圧波形の概要について説明する。
【００６７】
図４は、本発明の一実施の形態の第２のサブフィールド構成におけるパネル１０の各電極に印加する駆動電圧波形図である。
【００６８】
なお、本実施の形態における第２のサブフィールド構成では、第２ＳＦの初期化期間では全セル初期化動作を行い、第１ＳＦ、第３ＳＦ〜第８ＳＦの初期化期間では選択初期化動作を行うものとする。
【００６９】
まず、１フィールドの最後のサブフィールド（第１１ＳＦ）の維持期間では、図３に示した維持期間と同様に、輝度重みに応じた回数の維持パルスを表示電極対２４に交互に印加し、その後、走査電極ＳＣ１〜走査電極ＳＣｎに消去ランプ電圧Ｌ３を印加し、維持放電を発生させた放電セルに消去放電を発生させる。
【００７０】
続くフィールドの第１ＳＦは、選択初期化サブフィールドであるので、図３に示した第２ＳＦの初期化期間と同様に維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ電圧Ｌ４を印加する。
【００７１】
続く書込み期間では、走査電極ＳＣ１〜走査電極ＳＣｎ、維持電極ＳＵ１〜維持電極ＳＵｎおよびデータ電極Ｄ１〜データ電極Ｄｍに対して図３に示した書込み期間と同様の駆動波形を印加する。
【００７２】
続く維持期間では、上述したように第１ＳＦの輝度重みを０．２５としているので、維持パルスおよび消去ランプ電圧Ｌ３を発生させず、第３の傾斜電圧（以下、「維持ランプ電圧Ｌ５」と記す）を表示電極対２４の一方（ここでは、走査電極ＳＣ１〜走査電極ＳＣｎ）に印加することによる持続した微弱な放電だけを発生させる。
【００７３】
具体的には、データ電極Ｄ１〜データ電極Ｄｍおよび維持電極ＳＵ１〜維持電極ＳＵｎを０（Ｖ）に保持したまま、ベース電位となる０（Ｖ）から放電開始電圧を超える電圧Ｖｅｒｓに向かって上昇する維持ランプ電圧Ｌ５を、第１の傾斜電圧である上りランプ電圧Ｌ１と同じ勾配、例えば、約１．３Ｖ／μｓｅｃの勾配で発生させ、走査電極ＳＣ１〜走査電極ＳＣｎに印加する。すると、書込み放電を起こした放電セルでは、走査電極ＳＣｉ上と維持電極ＳＵｉ上との電圧差は、走査電極ＳＣｉ上の壁電圧と維持電極ＳＵｉ上の壁電圧との差に維持ランプ電圧Ｌ５が加算されたものとなり、維持ランプ電圧Ｌ５の上昇途中で放電開始電圧を超え、走査電極ＳＣｉと維持電極ＳＵｉとの間に微弱な放電が起こる。この微弱な放電は、維持ランプ電圧Ｌ５が上昇する期間、持続して発生する。そして、上昇する電圧が電圧Ｖｅｒｓに到達したら走査電極ＳＣ１〜走査電極ＳＣｎに印加する電圧を０（Ｖ）まで降下させる。
【００７４】
なお、本実施の形態では、維持ランプ電圧Ｌ５を上りランプ電圧Ｌ１と同じ勾配（例えば、約１．３Ｖ／μｓｅｃ）にし、第２の傾斜電圧である消去ランプ電圧Ｌ３の勾配（例えば、約１０Ｖ／μｓｅｃ）よりも緩やかにして発生させているが、これは、維持ランプ電圧Ｌ５による発光をできるだけ微弱にして、より滑らかな画像表示をできるようにするためである。
【００７５】
このように、本実施の形態では、第１ＳＦにおいて、この維持ランプ電圧Ｌ５による微弱な発光だけを発生させることで、維持放電を１回発生させるよりも低い輝度で放電セルを発光させている。これにより、本実施の形態では、第１ＳＦの輝度重みを「輝度重み１」よりも小さくし、第１ＳＦが画像表示に寄与する輝度を低くして、細やかな階調の表示を実現している。
【００７６】
なお、本実施の形態で用いている「輝度重み０．２５」は、１回の維持放電による発光輝度の４分の１の発光輝度であることを表すのではなく、「輝度重み１」よりも小さいという意味で用いているに過ぎない。本実施の形態において、「輝度重み０．２５」のサブフィールドにおける発光輝度は、１回の維持放電で発生する発光輝度よりも小さければよく、例えば、１回の維持放電による発光輝度に対して０．３や０．４といった輝度であってもかまわない。
【００７７】
続く第２ＳＦは、全セル初期化サブフィールドであるので、図３に示した第１ＳＦの初期化期間と同様に、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から維持電極ＳＵ１〜維持電極ＳＵｎに対して放電開始電圧以下の電圧Ｖｓｃを印加する。ここで、図３に示した第１のサブフィールド構成における第１ＳＦでは、電圧Ｖｓｃに積み上げ電圧を重畳した電圧Ｖｉ１を印加し、電圧Ｖｉ１から上りランプ電圧Ｌ１を発生させたが、第２のサブフィールド構成における第２ＳＦでは、電圧Ｖｓｃに積み上げ電圧を重畳することはせず、所定の初期電圧である電圧Ｖｓｃから維持電極ＳＵ１〜維持電極ＳＵｎに対して放電開始電圧を超える電圧Ｖｉ２に向かって、上りランプ電圧Ｌ１と同じ勾配（例えば、約１．３Ｖ／μｓｅｃ）で上昇する第４の傾斜電圧（以下、「上りランプ電圧Ｌ６」と呼称する）を印加する。これにより、第１のサブフィールド構成における第１ＳＦと比較して初期化期間に掛かる時間は長くなるが、電圧Ｖｉ１よりも低い電圧Ｖｓｃから上りランプ電圧Ｌ６を発生させることで全セル初期化動作をより安定に行わせることができる。したがって、第１のサブフィールド構成よりもサブフィールド数の多い第２のサブフィールド構成においても、安定にパネル駆動を行うことができる。
【００７８】
続く書込み期間および維持期間では、図３に示した第１ＳＦの書込み期間および維持期間と同様の駆動波形を印加する。また、以降のサブフィールドの動作も、維持期間の維持パルスの数を除いて第１のサブフィールド構成における第２ＳＦ以降の動作と実質的に同等であるので、説明を省略する。
【００７９】
以上が、第２のサブフィールド構成におけるパネル１０の各電極に印加する駆動電圧波形の概要である。
【００８０】
次に、本実施の形態におけるプラズマディスプレイ装置の構成について説明する。図５は、本発明の一実施の形態におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、制御信号発生回路４５および各回路ブロックに必要な電源を供給する電源回路（図示せず）を備えている。
【００８１】
画像信号処理回路４１は、パネル１０の画素数に応じて、入力された画像信号ｓｉｇをサブフィールド毎の発光・非発光を示すサブフィールドデータに変換する。
【００８２】
制御信号発生回路４５は、水平同期信号Ｈおよび垂直同期信号Ｖにもとづき各回路ブロックの動作を制御する各種の制御信号を発生し、それぞれの回路ブロック（画像信号処理回路４１、データ電極駆動回路４２、走査電極駆動回路４３および維持電極駆動回路４４）へ供給する。
【００８３】
データ電極駆動回路４２は、サブフィールド毎のサブフィールドデータを各データ電極Ｄ１〜データ電極Ｄｍに対応する信号に変換し、制御信号発生回路４５から供給される制御信号にもとづいて各データ電極Ｄ１〜データ電極Ｄｍを駆動する。
【００８４】
走査電極駆動回路４３は、初期化期間において走査電極ＳＣ１〜走査電極ＳＣｎに印加する初期化波形を発生するための初期化波形発生回路、維持期間において走査電極ＳＣ１〜走査電極ＳＣｎに印加する維持パルスを発生するための維持パルス発生回路、複数の走査電極駆動ＩＣ（以下、「走査ＩＣ」と略記する）を備え書込み期間において走査電極ＳＣ１〜走査電極ＳＣｎに印加する走査パルスを発生するための走査パルス発生回路を有する。そして、制御信号発生回路４５から供給される制御信号にもとづいて各走査電極ＳＣ１〜走査電極ＳＣｎをそれぞれ駆動する。
【００８５】
維持電極駆動回路４４は、維持パルス発生回路および電圧Ｖｅ１、電圧Ｖｅ２を発生するための回路（図示せず）を備え、制御信号発生回路４５から供給される制御信号にもとづいて維持電極ＳＵ１〜維持電極ＳＵｎを駆動する。
【００８６】
次に、走査電極駆動回路４３の詳細とその動作について説明する。
【００８７】
図６は、本発明の一実施の形態におけるプラズマディスプレイ装置１の走査電極駆動回路４３の一構成例を示す回路図である。走査電極駆動回路４３は、維持パルスを発生させる維持パルス発生回路５０、初期化波形を発生させる初期化波形発生回路５３、走査パルスを発生させる走査パルス発生回路５４を備え、走査パルス発生回路５４のそれぞれの出力はパネル１０の走査電極ＳＣ１〜走査電極ＳＣｎのそれぞれに接続されている。なお、本実施の形態では、走査パルス発生回路５４に入力される電圧を「基準電位Ａ」と記す。また、以下の説明においてスイッチング素子を導通させる動作を「オン」、遮断させる動作を「オフ」と表記し、スイッチング素子をオンさせる信号を「Ｈｉ」、オフさせる信号を「Ｌｏ」と表記する。
【００８８】
維持パルス発生回路５０は、一般に用いられている電力回収回路（図示せず）とクランプ回路（図示せず）とを備え、制御信号発生回路４５から出力される制御信号にもとづき内部に備えた各スイッチング素子を切換えて維持パルスを発生させる。
【００８９】
走査パルス発生回路５４は、複数のスイッチング素子を複数の出力毎にまとめてＩＣ化した複数の走査ＩＣ（図示せず）を有し、書込み期間には走査電極ＳＣ１〜走査電極ＳＣｎのそれぞれにあらかじめ定められた順に走査パルス電圧を印加する。また、維持パルス発生回路５０または初期化波形発生回路５３を動作させている期間は、維持パルス発生回路５０または初期化波形発生回路５３から出力される駆動電圧を走査電極ＳＣ１〜走査電極ＳＣｎに印加する。
【００９０】
走査パルス発生回路５４は、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。
【００９１】
また、走査パルス発生回路５４は、書込み期間において基準電位Ａを負の電圧Ｖａに接続するためのスイッチング素子Ｑ５と、基準電位Ａに電圧Ｖｓｃを重畳した電圧Ｖｃを発生させるための電源Ｖｓｃ、ダイオードＤ３１、コンデンサＣ３１とを備えている。そして、スイッチング素子ＱＨ１〜スイッチング素子ＱＨｎの入力端子ＩＮ２には電圧Ｖｃが接続され、スイッチング素子ＱＬ１〜スイッチング素子ＱＬｎの入力端子ＩＮ１には基準電位Ａが接続されている。
【００９２】
このように構成された走査パルス発生回路５４では、書込み期間においては、スイッチング素子Ｑ５をオンにして基準電位Ａを負の電圧Ｖａに等しくし、入力端子ＩＮ１には負の電圧Ｖａを、入力端子ＩＮ２には電圧Ｖａ＋電圧Ｖｓｃとなった電圧Ｖｃを印加する。そして、サブフィールドデータにもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負の走査パルス電圧Ｖａを印加し、走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃを印加する。
【００９３】
なお、初期化波形発生回路５３または維持パルス発生回路５０を動作させている期間は、スイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形電圧または維持パルス電圧を印加する。
【００９４】
初期化波形発生回路５３は、傾斜電圧発生回路であるミラー積分回路５５と、ミラー積分回路５６と、ミラー積分回路５５に定電流を供給する定電流発生回路６０と、ミラー積分回路５６に定電流を供給する定電流発生回路６１と、ミラー積分回路５５に供給する電源電圧を切換える電源電圧切換え回路５７とを有する。
【００９５】
ミラー積分回路５５は、スイッチング素子Ｑ１１と、コンデンサＣ１０と、コンデンサＣ１０に直列に接続されたツェナーダイオードＤ１０と、抵抗Ｒ１０とを有し、電圧Ｖｉ２までランプ状に緩やかに（例えば、１．３Ｖ／μｓｅｃで）上昇する上りランプ電圧Ｌ１、上りランプ電圧Ｌ６、および維持ランプ電圧Ｌ５と、上りランプ電圧Ｌ１よりも急峻な勾配（例えば、１０Ｖ／μｓｅｃ）で電圧Ｖｅｒｓまで上昇する消去ランプ電圧Ｌ３とを発生する。なお、ツェナーダイオードＤ１０は、定電流発生回路６０からミラー積分回路５５に入力される定電流に対して順方向に設けられ、第１のサブフィールド構成における全セル初期化動作時（ここでは、第１ＳＦの初期化期間）に、所定の初期電圧である電圧Ｖｓｃに積み上げ電圧であるツェナー電圧（例えば、４５（Ｖ））を重畳して電圧Ｖｉ１を発生させる働き、すなわち第１の傾斜電圧である上りランプ電圧Ｌ１の開始電圧（傾斜電圧の上昇が開始される電圧）を電圧Ｖｉ１にする働きを有する。
【００９６】
定電流発生回路６０は、入力端子ＩＮａにコレクタが接続されたトランジスタＱ８と、入力端子ＩＮａとトランジスタＱ８のベースとの間に挿入された抵抗Ｒ８と、抵抗Ｒ８にカソードが接続され抵抗Ｒ１０にアノードが接続されたツェナーダイオードＤ８と、トランジスタＱ８のエミッタと抵抗Ｒ１０との間に直列に接続された抵抗Ｒ１２とを有し、入力端子ＩＮａに所定の電圧（例えば、５（Ｖ））を印加することで、定電流を発生する。この定電流はミラー積分回路５５に入力され、ミラー積分回路５５は、この定電流が入力される期間、基準電位Ａの電位を上昇させる。
【００９７】
ミラー積分回路５６は、スイッチング素子Ｑ１４と、コンデンサＣ１２とを有し、電圧Ｖｉ４までランプ状に緩やかに下降する下りランプ電圧Ｌ２および下りランプ電圧Ｌ４を発生する。
【００９８】
定電流発生回路６１は、入力端子ＩＮｂにコレクタが接続されたトランジスタＱ９と、入力端子ＩＮｂとトランジスタＱ９のベースとの間に挿入された抵抗Ｒ９と、抵抗Ｒ９にカソードが接続されスイッチング素子Ｑ１４のゲートにアノードが接続されたツェナーダイオードＤ９と、トランジスタＱ９のエミッタに直列に接続された抵抗Ｒ１１とを有し、入力端子ＩＮｂに所定の電圧（例えば、５（Ｖ））を印加することで、定電流を発生する。この定電流はミラー積分回路５６に入力され、ミラー積分回路５６は、この定電流が入力される期間、基準電位Ａの電位を下降させる。
【００９９】
電源電圧切換え回路５７は、電圧Ｖｓｅｔ（例えば、３００（Ｖ））と電圧Ｖｅｒｓ（例えば、２００（Ｖ））とを分離するためのスイッチング素子Ｑ１５と、電圧Ｖｅｒｓを発生する電源への逆流を防止するダイオードＤ１２と、スイッチング素子Ｑ１５のゲートに与える電圧を調整するための抵抗Ｒ１４、抵抗Ｒ１５、ツェナーダイオードＤ１１と、フォトカプラＰＣ３とを有する。フォトカプラＰＣ３の発光側は電流制限用の抵抗Ｒ１８を介して入力端子ＩＮｃとなっており、フォトカプラＰＣ３のトランジスタ側は、コレクタが電圧Ｖｓｅｔに、エミッタがスイッチング素子Ｑ１５のゲートにそれぞれ接続されている。そして、入力端子ＩＮｃに所定の電圧（例えば、５（Ｖ））を印加すると、フォトカプラＰＣ３のトランジスタがオンし、これによりスイッチング素子Ｑ１５のゲート電圧が電圧Ｖｓｅｔに等しくなってスイッチング素子Ｑ１５がオフになり、ミラー積分回路５５に電圧Ｖｅｒｓを与えることができる。また、入力端子ＩＮｃに、例えば、０（Ｖ）を印加すると、フォトカプラＰＣ３のトランジスタがオフし、これによりスイッチング素子Ｑ１５のゲートに電圧Ｖｓｅｔと電圧Ｖｅｒｓとを抵抗Ｒ１４と抵抗Ｒ１５とで抵抗分割した電圧が印加されてスイッチング素子Ｑ１５がオンし、ミラー積分回路５５に電圧Ｖｓｅｔを与えることができる。このように、電源電圧切換え回路５７は、上りランプ電圧Ｌ１および上りランプ電圧Ｌ６を発生させるときに用いる電圧Ｖｓｅｔと消去ランプ電圧Ｌ３および維持ランプ電圧Ｌ５を発生させるときに用いる電圧Ｖｅｒｓとのいずれかの電圧を、選択的にミラー積分回路５５に与えることができる。
【０１００】
ここで、本実施の形態における初期化波形発生回路５３は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）からなる、第１のスイッチング素子であるスイッチング素子Ｑ２１と、第２のスイッチング素子であるスイッチング素子Ｑ２２とを備えた構成とする。なお、スイッチング素子Ｑ２１のゲートとスイッチング素子Ｑ２２のゲートとは互いに接続され、インバーターＩＮＶ１を介して入力端子ＩＮｄとなっており、入力端子ＩＮｄに印加する制御信号を「Ｈｉ」（例えば、５（Ｖ））にすることでスイッチング素子Ｑ２１とスイッチング素子Ｑ２２とを同時にオフすることができ、また入力端子ＩＮｄに印加する制御信号を「Ｌｏ」（例えば、０（Ｖ））にすることでスイッチング素子Ｑ２１とスイッチング素子Ｑ２２とを同時にオンすることができる。
【０１０１】
そして、定電流発生回路６０に、スイッチング素子Ｑ２１のスイッチング操作により定電流発生回路６０から出力する定電流の電流値を変更する抵抗Ｒ１３を備えた構成とする。具体的には、抵抗Ｒ１３の一方の端子を抵抗Ｒ１２とトランジスタＱ８との接続点に接続し、他方の端子をスイッチング素子Ｑ２１のドレインに接続する。そして、スイッチング素子Ｑ２１のソースを抵抗Ｒ１２と抵抗Ｒ１０との接続点に接続する。これにより、スイッチング素子Ｑ２１をオンすることで、抵抗Ｒ１２と抵抗Ｒ１３とが電気的に並列に接続され、スイッチング素子Ｑ２１がオフのときよりも定電流発生回路６０から出力される定電流の電流値を大きくし、ミラー積分回路５５から出力される傾斜電圧の勾配を大きくすることができる。
【０１０２】
さらに、スイッチング素子Ｑ２２のスイッチング操作により電圧Ｖｓｃに積み上げ電圧を重畳するかどうかを切換えられる構成とする。具体的には、ミラー積分回路５５に備えられたツェナーダイオードＤ１０のカソードとスイッチング素子Ｑ２２のドレインとを接続し、ツェナーダイオードＤ１０のアノードとスイッチング素子Ｑ２２のソースとを接続する。これにより、スイッチング素子Ｑ２２がオフのときにはスイッチング素子Ｑ１１のソース電圧にツェナーダイオードＤ１０のツェナー電圧（例えば、４５（Ｖ））を積み上げ、例えば上りランプ電圧Ｌ１の開始電圧を電圧Ｖｉ１にすることができる。また、スイッチング素子Ｑ２２がオンのときにはツェナーダイオードＤ１０を電気的に短絡して、ミラー積分回路５５から出力される傾斜電圧の開始電圧を、ツェナーダイオードＤ１０のツェナー電圧の積み上げがない電圧にすることができる。例えば、上りランプ電圧Ｌ６の開始電圧を電圧Ｖｓｃにすることができる。
【０１０３】
これにより、本実施の形態におけるミラー積分回路５５は、勾配および開始電圧が異なる４つの傾斜電圧、すなわち第１のサブフィールド構成における初期化動作時の上りランプ電圧Ｌ１と、第２のサブフィールド構成における初期化動作時の上りランプ電圧Ｌ６と、第２のサブフィールド構成における第１ＳＦの維持期間に発生させる維持ランプ電圧Ｌ５と、第１のサブフィールド構成、第２のサブフィールド構成ともに維持期間の最後に発生させる消去ランプ電圧Ｌ３とを発生させることができる。
【０１０４】
次に、第１の傾斜電圧である上りランプ電圧Ｌ１を発生させる動作、および上りランプ電圧Ｌ１よりも急峻な勾配で電圧Ｖｅｒｓまで上昇する第２の傾斜電圧である消去ランプ電圧Ｌ３を発生させる動作を図７を用いて説明し、続いて、第３の傾斜電圧である維持ランプ電圧Ｌ５を発生させる動作、および第４の傾斜電圧である上りランプ電圧Ｌ６を発生させる動作を図８を用いて説明する。
【０１０５】
図７は、本発明の一実施の形態の第１のサブフィールド構成における走査電極駆動回路４３の動作の一例を説明するためのタイミングチャートである。なお、この図面では維持期間の最後および全セル初期化期間の駆動波形を説明するが、選択初期化動作において下りランプ電圧Ｌ４を発生させる動作は、図７に説明する下りランプ電圧Ｌ２を発生させる動作と同様であるものとする。
【０１０６】
また、図７では、維持期間の最後の駆動波形を期間Ｔ１〜期間Ｔ２で示した２つの期間に分割し、全セル初期化動作を行う駆動波形を期間Ｔ１１〜期間Ｔ１４で示した４つの期間に分割して、それぞれの期間について説明する。また、以下、電圧Ｖｉ３は電圧Ｖｓに等しいものとし、電圧Ｖｉ２は電圧Ｖｓｃ＋電圧Ｖｓｅｔに等しいものとし、電圧Ｖｉ４は負の電圧Ｖａに等しいものとして説明する。また、図面にはスイッチング素子をオンさせる信号を「Ｈｉ」、オフさせる信号を「Ｌｏ」と表記する。
【０１０７】
まず、維持期間の最後に消去ランプ電圧Ｌ３を発生させる際の動作について説明する。
【０１０８】
まず、期間Ｔ１に入る前に入力端子ＩＮｃを「Ｈｉ」にしてフォトカプラＰＣ３をオンにし、ミラー積分回路５５に電圧Ｖｅｒｓを与え、かつ入力端子ＩＮｄを「Ｌｏ」にして、スイッチング素子Ｑ２１、スイッチング素子Ｑ２２をオンにし、ツェナーダイオードＤ１０を電気的に短絡し、コンデンサＣ１０に電圧Ｖｅｒｓを充電させておく。また、維持パルス発生回路５０のクランプ回路を動作させて基準電位Ａを０（Ｖ）にしておき、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。
【０１０９】
（期間Ｔ１）
期間Ｔ１では、入力端子ＩＮａを「Ｈｉ」にして、定電流発生回路６０の動作を開始させる。これにより、コンデンサＣ１０に向かって一定の電流が流れ、スイッチング素子Ｑ１１のソース電圧がランプ状に上昇し、走査電極駆動回路４３の出力電圧は、ランプ状に上昇し始める。このとき、定電流発生回路６０の出力電流がスイッチング素子Ｑ１１のドレイン電流よりも小さくなるように、かつ傾斜電圧の勾配が所望の値（例えば、１０Ｖ／μｓｅｃ）になるように、抵抗Ｒ１２と抵抗Ｒ１３の合成抵抗の抵抗値をあらかじめ設定しておく。
【０１１０】
ここで、スイッチング素子Ｑ１１のドレイン電圧をＶｄ１１、スイッチング素子Ｑ１１のソース電圧をＶｓ１１、コンデンサＣ１０の両端子間の電位差をＶｃ１０（ｔ）、ツェナーダイオードＤ１０の順方向動作時の電圧降下をＶｆ１０、スイッチング素子Ｑ１１のゲート、ソース間の電圧をＶｇｓ１１とすると、スイッチング素子Ｑ１１のソース電圧Ｖｓ１１は次の式１のようになる。
【０１１１】
Ｖｓ１１＝Ｖｄ１１−Ｖｃ１０（ｔ）−Ｖｆ１０−Ｖｇｓ１１    式１
なお、コンデンサＣ１０の一方の端子電圧は電圧Ｖｅｒｓであり、他方の端子電圧は定電流発生回路６０からの出力電流がコンデンサＣ１０に充電されることで徐々に上昇するため、Ｖｃ１０（ｔ）は時間ｔをパラメータとする変数になる。また、定電流発生回路６０からの出力電流は定電流なので、Ｖｃ１０（ｔ）は時間ｔの経過とともに線形に減少する。
【０１１２】
期間Ｔ１では、Ｖｄ１１は電圧Ｖｅｒｓに等しい。また、ツェナーダイオードＤ１０の順方向動作時の電圧降下Ｖｆ１０、およびスイッチング素子Ｑ１１のゲート、ソース間の電圧Ｖｇｓ１１は十分に小さい値のため、実質的に省略することができる。したがって、式１に示したスイッチング素子Ｑ１１のソース電圧Ｖｓ１１は、次の式２のように書き換えることができる。
【０１１３】
Ｖｓ１１＝Ｖｅｒｓ−Ｖｃ１０（ｔ）    式２
定電流発生回路６０の動作開始直後（ｔ＝０）は、コンデンサＣ１０には充電がなされていないので、コンデンサＣ１０の両端子間の電位差は電圧Ｖｅｒｓになる。すなわち、Ｖｃ１０（０）＝Ｖｅｒｓである。したがって、
Ｖｓ１１＝Ｖｅｒｓ−Ｖｃ１０（０）＝Ｖｅｒｓ−Ｖｅｒｓ＝０（Ｖ）
となり、スイッチング素子Ｑ１１のソース電圧Ｖｓ１１は、０（Ｖ）となる。
【０１１４】
その後、定電流発生回路６０から出力される定電流とコンデンサＣ１０の容量とで決まる勾配で、スイッチング素子Ｑ１１のソース電圧がランプ状に上昇する。このとき、期間Ｔ１では、入力端子ＩＮｄが「Ｌｏ」なので、抵抗Ｒ１２と抵抗Ｒ１３とが電気的に並列に接続される。これにより、定電流発生回路６０から出力される定電流の電流値は大きくなり、走査電極駆動回路４３の出力電圧は、上りランプ電圧Ｌ１よりも急峻な勾配（例えば、１０Ｖ／μｓｅｃ）でランプ状に上昇し始める。こうして、０（Ｖ）から電圧Ｖｅｒｓ（本実施の形態では、電圧Ｖｓに等しい）に向かって上昇する第２の傾斜電圧である消去ランプ電圧Ｌ３を発生させる。
【０１１５】
この消去ランプ電圧Ｌ３が上昇する間に走査電極ＳＣｉと維持電極ＳＵｉとの間の電圧差は放電開始電圧を超え、これにより、走査電極ＳＣｉと維持電極ＳＵｉとの間に微弱な放電を発生させることができる。そして、この微弱な放電を消去ランプ電圧Ｌ３が上昇する期間、継続させることができる。
【０１１６】
なお、本実施の形態では、維持パルスのような急激な電圧変化による瞬間的な強い放電ではなく、印加電圧を徐々に（例えば、１０Ｖ／μｓｅｃの勾配で）上昇させる消去ランプ電圧Ｌ３により走査電極ＳＣｉと維持電極ＳＵｉとの間に微弱な消去放電を継続して発生させる構成としている。したがって、たとえ大画面化、高精細化され、駆動インピーダンスが増大したパネルであっても、駆動回路から発生される駆動波形に生じるリンギング等の波形歪みを低減し、消去放電を安定に発生させることができる。これにより、走査電極ＳＣｉ上および維持電極ＳＵｉ上の壁電圧を、続く書込みを安定に発生させるに最適な状態に調整することができる。
【０１１７】
なお、図面には示していないが、このときデータ電極Ｄ１〜データ電極Ｄｍは０（Ｖ）に保持されているので、データ電極Ｄ１〜データ電極Ｄｍ上には正の壁電圧が形成される。
【０１１８】
（期間Ｔ２）
期間Ｔ２では、入力端子ＩＮａを「Ｌｏ」にする。これにより定電流発生回路６０は動作を停止する。また、入力端子ＩＮｃを「Ｌｏ」にしてフォトカプラＰＣ３をオフにし、ミラー積分回路５５に電圧Ｖｓｅｔを与える。あわせて、入力端子ＩＮｄを「Ｈｉ」にしてスイッチング素子Ｑ２１、スイッチング素子Ｑ２２をオフにし、抵抗Ｒ１３を電気的に開放された状態にし、またツェナーダイオードＤ１０を電気的に動作する状態にする。続いて、維持パルス発生回路５０のクランプ回路を動作させて基準電位Ａを０（Ｖ）にする。これにより、コンデンサＣ１０に電圧ＶｓｅｔからツェナーダイオードＤ１０のツェナー電圧Ｖｚを引いた電圧（電圧Ｖｓｅｔ−電圧Ｖｚ）が充電される。こうして、続く全セル初期化動作に備える。
【０１１９】
次に、全セル初期化期間に初期化波形電圧を発生させる際の動作について説明する。
【０１２０】
（期間Ｔ１１）
期間Ｔ１１では、スイッチング素子ＱＨ１〜スイッチング素子ＱＨｎをオン、スイッチング素子ＱＬ１〜スイッチング素子ＱＬｎをオフにすることにより、基準電位Ａ（このとき、０（Ｖ））に電圧Ｖｓｃを重畳した電圧Ｖｃ（すなわち、電圧Ｖｃ＝電圧Ｖｓｃ）を、走査電極ＳＣ１〜走査電極ＳＣｎに印加する。
【０１２１】
（期間Ｔ１２）
次に、入力端子ＩＮｃを「Ｌｏ」に、入力端子ＩＮｄを「Ｈｉ」に、それぞれ維持したまま、入力端子ＩＮａを「Ｈｉ」にする。入力端子ＩＮａを「Ｈｉ」にすることで定電流発生回路６０が動作を開始し、コンデンサＣ１０に向かって一定の電流が流れ、スイッチング素子Ｑ１１のソース電圧がランプ状に上昇し、走査電極駆動回路４３の出力電圧は、ランプ状に上昇し始める。このとき、定電流発生回路６０の出力電流がスイッチング素子Ｑ１１のドレイン電流よりも小さくなるように、かつ傾斜電圧の勾配が所望の値（例えば、１．３Ｖ／μｓｅｃ）になるように、抵抗Ｒ１２の抵抗値を設定しておく。
【０１２２】
期間Ｔ１２では、スイッチング素子Ｑ１１のドレイン電圧Ｖｄ１１は電圧Ｖｓｅｔに等しい。また、コンデンサＣ１０には電圧ＶｓｅｔからツェナーダイオードＤ１０のツェナー電圧Ｖｚを引いた電圧が充電されているので、定電流発生回路６０の動作開始直後（ｔ＝０）のコンデンサＣ１０の両端子間の電位差は、Ｖｓｅｔ−Ｖｚである。したがって、このときのスイッチング素子Ｑ１１のソース電圧Ｖｓ１１は、上述した式１にもとづき次の式３のようになる。
【０１２３】
Ｖｓ１１＝Ｖｓｅｔ−Ｖｃ１０（０）＝Ｖｓｅｔ−（Ｖｓｅｔ−Ｖｚ）＝Ｖｚ    式３
なお、ツェナーダイオードＤ１０の順方向動作時の電圧降下Ｖｆ１０とスイッチング素子Ｑ１１のゲート、ソース間の電圧Ｖｇｓ１１は実質的に無視できる大きさであるため、式２と同様に省略している。
【０１２４】
したがって、式３に示す通り、定電流発生回路６０の動作開始直後のスイッチング素子Ｑ１１のソース電圧Ｖｓ１１は、定電流発生回路６０の動作開始直前の基準電位Ａ（０（Ｖ））に、ツェナーダイオードＤ１０のツェナー電圧Ｖｚを加算した電圧Ｖｚになる。すなわち、定電流発生回路６０の動作開始直後に、走査電極駆動回路４３の出力電圧は、電圧Ｖｓｃから電圧Ｖｓｃに積み上げ電圧であるツェナーダイオードＤ１０のツェナー電圧Ｖｚを重畳した電圧Ｖｉ１まで急峻に増加する。これにより、電圧Ｖｉ１、すなわち電圧Ｖｓｃ＋電圧Ｖｚが、上りランプ電圧Ｌ１の開始電圧になる。その後、抵抗Ｒ１２からコンデンサＣ１０に向かって一定の電流が流れ、スイッチング素子Ｑ１１のソース電圧は電圧Ｖｉ１からランプ状に上昇する。このとき、期間Ｔ１２では、入力端子ＩＮｄが「Ｈｉｏ」なので、抵抗Ｒ１３は電気的に開放され、定電流発生回路６０から出力される定電流の電流値は小さくなって、走査電極駆動回路４３の出力電圧は、消去ランプ電圧Ｌ３よりも緩やかな勾配（例えば、１．３Ｖ／μｓｅｃ）でランプ状に上昇し始める。
【０１２５】
また、フォトカプラＰＣ３がオフになっているので、ミラー積分回路５５には電圧Ｖｓｅｔが印加され、走査電極駆動回路４３の出力電圧を電圧Ｖｉ２（ここでは、電圧Ｖｓｃ＋電圧Ｖｓｅｔ）まで上昇させることができる。そして、走査電極駆動回路４３の出力電圧が電圧Ｖｉ２に到達したら、その後、入力端子ＩＮａを「Ｌｏ」にする。
【０１２６】
期間Ｔ１２では、このようにして、電圧Ｖｉ１から放電開始電圧を超える電圧Ｖｉ２（本実施の形態では、電圧Ｖｓｃ＋電圧Ｖｓｅｔに等しい）に向かって緩やかに上昇する第１の傾斜電圧である上りランプ電圧Ｌ１を発生させ、走査電極ＳＣ１〜走査電極ＳＣｎに印加する。なお、この電圧上昇は、入力端子ＩＮａを「Ｈｉ」にしている期間、もしくは、基準電位Ａが電圧Ｖｓｅｔに到達するまで継続させることができる。
【０１２７】
（期間Ｔ１３）
期間Ｔ１３では入力端子ＩＮａを「Ｌｏ」にする。これにより定電流発生回路６０は動作を停止する。また、スイッチング素子ＱＨ１〜スイッチング素子ＱＨｎをオフ、スイッチング素子ＱＬ１〜スイッチング素子ＱＬｎをオンにして、基準電位Ａを走査電極ＳＣ１〜走査電極ＳＣｎに印加する。あわせて、維持パルス発生回路５０のクランプ回路を動作させて基準電位Ａを電圧Ｖｓにする。これにより、走査電極ＳＣ１〜走査電極ＳＣｎの電圧は電圧Ｖｉ３（本実施の形態では、電圧Ｖｓに等しい）まで低下する。
【０１２８】
（期間Ｔ１４）
次に、下りランプ電圧Ｌ２を発生するミラー積分回路５６の入力端子ＩＮｂを「Ｈｉ」にする。すると、定電流発生回路６１の抵抗Ｒ１１からコンデンサＣ１２に向かって一定の電流が流れ、スイッチング素子Ｑ１４のドレイン電圧が負の電圧Ｖｉ４（本実施の形態では、電圧Ｖａに等しい）に向かってランプ状に下降し、走査電極駆動回路４３の出力電圧も負の電圧Ｖａに向かってランプ状に下降し始める。そして、初期化期間が終了する直前に、入力端子ＩＮｂを「Ｌｏ」にする。期間Ｔ１４では、このようにして、下りランプ電圧Ｌ２を発生させ、走査電極ＳＣ１〜走査電極ＳＣｎに印加する。
【０１２９】
なお、期間Ｔ１４では、入力端子ＩＮｃを「Ｈｉ」にしてフォトカプラＰＣ３をオンにし、ミラー積分回路５５に電圧Ｖｅｒｓを与える。また、あわせて、入力端子ＩＮｄを「Ｌｏ」にしてスイッチング素子Ｑ２１、スイッチング素子Ｑ２２をオンにし、ツェナーダイオードＤ１０を電気的に短絡してミラー積分回路５５から出力される傾斜電圧の開始電圧が０（Ｖ）になるようにするとともに、定電流発生回路６０の抵抗Ｒ１２と抵抗Ｒ１３とを電気的に並列に接続して、定電流発生回路６０から電流値を大きくした定電流が出力されるようにする。こうして、続く動作に備える。
【０１３０】
以上のようにして、走査電極駆動回路４３は、第１の傾斜電圧である上りランプ電圧Ｌ１と、第２の傾斜電圧である消去ランプ電圧Ｌ３と、下りランプ電圧Ｌ２とを発生させる。
【０１３１】
なお、下りランプ電圧Ｌ２は、図７に示すように電圧Ｖａまで降下させる構成であってもよいが、例えば、下りランプ電圧Ｌ２が電圧Ｖａに所定の正の電圧Ｖｓｅｔ２を重畳した電圧に到達した時点で降下を停止させる構成としてもよい。
【０１３２】
図８は、本発明の一実施の形態の第２のサブフィールド構成における走査電極駆動回路４３の動作の一例を説明するためのタイミングチャートである。なお、この図面では第１ＳＦの維持期間および第２ＳＦの全セル初期化期間の駆動波形を説明する。
【０１３３】
また、図８では、第１ＳＦの維持期間の駆動波形を期間Ｔ３〜期間Ｔ４で示した２つの期間に分割し、全セル初期化動作を行う駆動波形を期間Ｔ１１〜期間Ｔ１４で示した４つの期間に分割して、それぞれの期間について説明する。
【０１３４】
まず、維持期間に維持ランプ電圧Ｌ５を発生させる際の動作について説明する。
【０１３５】
まず、期間Ｔ３に入る前に、入力端子ＩＮｃを「Ｈｉ」にしてフォトカプラＰＣ３をオンにし、ミラー積分回路５５に電圧Ｖｅｒｓを与え、かつ入力端子ＩＮｄを「Ｌｏ」にして、スイッチング素子Ｑ２１、スイッチング素子Ｑ２２をオンにし、ツェナーダイオードＤ１０を電気的に短絡し、コンデンサＣ１０に電圧Ｖｅｒｓを充電させておく。また、維持パルス発生回路５０のクランプ回路を動作させて基準電位Ａを０（Ｖ）にしておき、スイッチング素子ＱＨ１〜スイッチング素子ＱＨｎをオフ、スイッチング素子ＱＬ１〜スイッチング素子ＱＬｎをオンにして、基準電位Ａ（このとき、０（Ｖ））を走査電極ＳＣ１〜走査電極ＳＣｎに印加する（図示せず）。
【０１３６】
（期間Ｔ３）
期間Ｔ３では、入力端子ＩＮａを「Ｈｉ」にして定電流発生回路６０の動作を開始させ、またその直後にスイッチング素子Ｑ２１、スイッチング素子Ｑ２２をオンからオフにし、抵抗Ｒ１３が電気的に開放された状態にして定電流発生回路６０から出力される定電流の電流値を小さくし、ミラー積分回路５５から出力される傾斜電圧の勾配が緩やかになるようにする。これにより抵抗Ｒ１２からコンデンサＣ１０に向かって一定の電流が流れ、スイッチング素子Ｑ１１のソース電圧Ｖｓ１１がランプ状に上昇し、走査電極駆動回路４３の出力電圧は、ランプ状に上昇し始める。
【０１３７】
ここで、スイッチング素子Ｑ１１のドレイン電圧Ｖｄ１１は電圧Ｖｅｒｓに等しい。また、定電流発生回路６０の動作開始直後（ｔ＝０）は、コンデンサＣ１０には充電がなされていないので、コンデンサＣ１０の両端子間の電位差は電圧Ｖｅｒｓになる。すなわち、Ｖｃ１０（０）＝Ｖｅｒｓである。したがって、スイッチング素子Ｑ１１のソース電圧Ｖｓ１１は、上述した式２にもとづき次のようになる。
【０１３８】
Ｖｓ１１＝Ｖｅｒｓ−Ｖｃ１０（０）＝Ｖｅｒｓ−Ｖｅｒｓ＝０（Ｖ）
このとき、入力端子ＩＮｄを「Ｌｏ」から「Ｈｉ」にすることでスイッチング素子Ｑ２２はオンからオフになり、ツェナーダイオードＤ１０は電気的に短絡された状態から電気的に動作する状態になる。しかし、本実施の形態では、図６に示すように、ツェナーダイオードＤ１０をミラー積分回路５５に入力される定電流に対して順方向に設ける構成としているため、積み上げ電圧は定電流発生回路６０の動作開始時点でのスイッチング素子Ｑ１１のドレイン電圧Ｖｄ１１とコンデンサＣ１０に充電されている電圧により定まる。定電流発生回路６０の動作中にはツェナーダイオードＤ１０には順方向の電圧降下（実質的に無視できる大きさ）が発生するだけであり、スイッチング素子Ｑ２２のオン、オフは積み上げ電圧に影響を与えない。そのため、定電流発生回路６０の動作を開始させるまで入力端子ＩＮｄを「Ｌｏ」にしてスイッチング素子Ｑ２２をオンにしツェナーダイオードＤ１０を電気的に短絡しておけば、定電流発生回路６０の動作を開始させた直後に入力端子ＩＮｄを「Ｈｉ」にしてスイッチング素子Ｑ２２をオフにしても、スイッチング素子Ｑ１１のソース電圧Ｖｓ１１にツェナーダイオードＤ１０によるツェナー電圧Ｖｚの積み上げは発生しない。すなわち、電圧Ｖｅｒｓ（本実施の形態では、電圧Ｖｓに等しい）に向かって、上りランプ電圧Ｌ１と同じ緩やかな勾配（例えば、１．３Ｖ／μｓｅｃ）で上昇する第３の傾斜電圧である維持ランプ電圧Ｌ５を、０（Ｖ）から発生させることができる。
【０１３９】
一方、ツェナーダイオードＤ１０をミラー積分回路５５に入力される定電流に対して逆方向に設けても（図６に示すツェナーダイオードＤ１０とは逆方向にしても）、例えば上りランプ電圧Ｌ１を発生させる際の開始電圧を、電圧ＶｓｃにツェナーダイオードＤ１０のツェナー電圧Ｖｚを重畳した電圧Ｖｉ１にすることができることが確認された。しかし、そのような向きでツェナーダイオードＤ１０を設けると、定電流発生回路６０の動作が開始するまで入力端子ＩＮｄを「Ｌｏ」にしてスイッチング素子Ｑ２２をオンにしツェナーダイオードＤ１０を電気的に短絡しておいても、定電流発生回路６０の動作が開始した直後に入力端子ＩＮｄを「Ｈｉ」にしてスイッチング素子Ｑ２２をオフにしツェナーダイオードＤ１０が電気的に動作する状態になったときに、ツェナーダイオードＤ１０のツェナー電圧Ｖｚが積み上げられることもあわせて確認された。したがって、図６に示すツェナーダイオードＤ１０とは逆方向にツェナーダイオードＤ１０を配置した場合、積み上げ電圧を発生させずに傾斜電圧の勾配を緩やかにするためには、スイッチング素子Ｑ２２をオンにしてツェナーダイオードＤ１０を電気的に短絡させたまま、スイッチング素子Ｑ２１をオフにして定電流発生回路６０から出力される定電流の電流値を小さくしなければならない。すなわち、スイッチング素子Ｑ２１を制御する信号とスイッチング素子Ｑ２２を制御する信号とがそれぞれ必要になる。
【０１４０】
しかし、本実施の形態では、図８のタイミングチャートにも示すように、定電流発生回路６０の動作を開始させるまでスイッチング素子Ｑ２２をオンにしてツェナーダイオードＤ１０を電気的に短絡させておけば、定電流発生回路６０の動作を開始させた直後にスイッチング素子Ｑ２２がオフになったとしても、積み上げ電圧は発生しない。したがって、スイッチング素子Ｑ２１、スイッチング素子Ｑ２２を１つの制御信号で同時にオン・オフさせる構成のまま、傾斜電圧の開始電圧における積み上げ電圧の有無と傾斜電圧の勾配とをそれぞれ制御することができる。これにより、制御信号発生回路４５から走査電極駆動回路４３に供給する制御信号を、スイッチング素子Ｑ２１とスイッチング素子Ｑ２２とを互いに独立して制御する構成と比較して減少させることができ、例えば制御信号の供給に用いる配線の数を削減することができる。
【０１４１】
この維持ランプ電圧Ｌ５が上昇する間に走査電極ＳＣｉと維持電極ＳＵｉとの間の電圧差は放電開始電圧を超え、これにより、書込み放電が発生した走査電極ＳＣｉと維持電極ＳＵｉとの間に微弱な放電を発生させることができる。
【０１４２】
このように、本実施の形態では、第１ＳＦにおいて、この維持ランプ電圧Ｌ５による微弱な発光だけを発生させることで、維持放電を１回発生させるよりも低い輝度で放電セルを発光させている。これにより、本実施の形態では、第１ＳＦの輝度重みを「輝度重み１」よりも小さくし、第１ＳＦが画像表示に寄与する輝度を低くして、細やかな階調の表示を実現している。
【０１４３】
（期間Ｔ４）
期間Ｔ４では、入力端子ＩＮａを「Ｌｏ」にする。これにより定電流発生回路６０は動作を停止する。また、入力端子ＩＮｃを「Ｌｏ」にしてフォトカプラＰＣ３をオフにし、ミラー積分回路５５に電圧Ｖｓｅｔを与える。あわせて、入力端子ＩＮｄを「Ｌｏ」にしてスイッチング素子Ｑ２１、スイッチング素子Ｑ２２をオンにし、ツェナーダイオードＤ１０を電気的に短絡する。続いて、維持パルス発生回路５０のクランプ回路を動作させて基準電位Ａを０（Ｖ）にする。これにより、コンデンサＣ１０に電圧Ｖｓｅｔが充電される。こうして、続く全セル初期化動作に備える。
【０１４４】
次に、全セル初期化期間に初期化波形電圧を発生させる際の動作について説明する。
【０１４５】
（期間Ｔ１１）
期間Ｔ１１では、スイッチング素子ＱＨ１〜スイッチング素子ＱＨｎをオン、スイッチング素子ＱＬ１〜スイッチング素子ＱＬｎをオフにすることにより、基準電位Ａ（このとき、０（Ｖ））に電圧Ｖｓｃを重畳した電圧Ｖｃ（すなわち、電圧Ｖｃ＝電圧Ｖｓｃ）を、走査電極ＳＣ１〜走査電極ＳＣｎに印加する。
【０１４６】
（期間Ｔ１２’）
次に、入力端子ＩＮｃを「Ｌｏ」に維持したまま、すなわちフォトカプラＰＣ３をオフにしミラー積分回路５５に電圧Ｖｓｅｔを与えた状態で、入力端子ＩＮａを「Ｈｉ」にし、定電流発生回路６０の動作を開始させる。そして、その直後にスイッチング素子Ｑ２１、スイッチング素子Ｑ２２をオンからオフにし、抵抗Ｒ１３が電気的に開放された状態にして定電流発生回路６０から出力される定電流の電流値を小さくし、ミラー積分回路５５から出力される傾斜電圧の勾配が緩やかになるようにする。これにより抵抗Ｒ１２からコンデンサＣ１０に向かって一定の電流が流れ、スイッチング素子Ｑ１１のソース電圧がランプ状に上昇し、走査電極駆動回路４３の出力電圧は、ランプ状に上昇し始める。
【０１４７】
期間Ｔ１２’では、スイッチング素子Ｑ１１のドレイン電圧Ｖｄ１１は電圧Ｖｓｅｔに等しい。また、コンデンサＣ１０には電圧Ｖｓｅｔが充電されているので、定電流発生回路６０の動作開始直後（ｔ＝０）のコンデンサＣ１０の両端子間の電位差は電圧Ｖｓｅｔである。したがって、このときのスイッチング素子Ｑ１１のソース電圧Ｖｓ１１は、上述した式１にもとづき次の式５のようになる。
【０１４８】
Ｖｓ１１＝Ｖｓｅｔ−Ｖｃ１０（０）＝Ｖｓｅｔ−Ｖｓｅｔ＝０（Ｖ）    式５
したがって、式５に示す通り、定電流発生回路６０の動作開始直後のスイッチング素子Ｑ１１のソース電圧Ｖｓ１１には、積み上げ電圧は発生しない。すなわち、期間Ｔ１２’では、電圧Ｖｓｃが傾斜電圧の開始電圧になり、走査電極駆動回路４３の出力電圧は電圧Ｖｓｃから消去ランプ電圧Ｌ３よりも緩やかな勾配（例えば、１．３Ｖ／μｓｅｃ）でランプ状に上昇し始める。
【０１４９】
ミラー積分回路５５には電圧Ｖｓｅｔが印加されているので、走査電極駆動回路４３の出力電圧を電圧Ｖｉ２（ここでは、電圧Ｖｓｃ＋電圧Ｖｓｅｔ）まで上昇させることができる。そして、走査電極駆動回路４３の出力電圧が電圧Ｖｉ２に到達したら、その後、入力端子ＩＮａを「Ｌｏ」にする。
【０１５０】
期間Ｔ１２’では、このようにして、電圧Ｖｓｃから放電開始電圧を超える電圧Ｖｉ２（本実施の形態では、電圧Ｖｓｃ＋電圧Ｖｓｅｔに等しい）に向かって緩やかに上昇する第４の傾斜電圧である上りランプ電圧Ｌ６を発生させ、走査電極ＳＣ１〜走査電極ＳＣｎに印加する。
【０１５１】
続く期間Ｔ１３、期間Ｔ１４は、図７に示した期間Ｔ１３、期間Ｔ１４と同じ動作であるため説明を省略する。
【０１５２】
以上説明したように、本実施の形態によれば、第１のサブフィールド構成においては、全セル初期化サブフィールドの初期化期間に、電圧Ｖｓｃに積み上げ電圧であるツェナー電圧Ｖｚを重畳した電圧Ｖｉ１から上りランプ電圧Ｌ１を発生させることで、電圧Ｖｓｃから上りランプ電圧を発生させるときよりも初期化期間を短縮して維持期間に割り当てることができる時間を増やし、これにより、維持パルスの発生数を増加させ、画像をより明るく表示することができる。
【０１５３】
また、第２のサブフィールド構成においては、「輝度重み０．２５」のサブフィールドの維持期間に、維持パルスによる維持放電および消去ランプ電圧Ｌ３による消去放電を発生させず、維持ランプ電圧Ｌ５による微弱な発光だけを発生させることで、維持放電を１回発生させるよりも低い輝度で放電セルを発光させ、そのサブフィールドが画像表示に寄与する輝度を低くして、細やかな階調の表示を実現することができる。また、第２のサブフィールド構成においては、全セル初期化サブフィールドの初期化期間に、積み上げ電圧は重畳せず、所定の初期電圧である電圧Ｖｓｃから上りランプ電圧Ｌ６を発生させることで、全セル初期化動作をより安定に行わせることができる。したがって、第２のサブフィールド構成におけるサブフィールド数を第１のサブフィールド構成より多くしても、安定にパネル駆動を行うことができる。
【０１５４】
また、第１のサブフィールド構成、第２のサブフィールド構成ともに、維持期間の最後において（第２のサブフィールド構成における「輝度重み０．２５」のサブフィールドは除く）、消去ランプ電圧Ｌ３を走査電極ＳＣ１〜走査電極ＳＣｎに印加して微弱な消去放電を持続して発生させる構成とすることで、大画面化、高精細化され駆動インピーダンスが増大したパネルであっても、駆動回路から発生される駆動波形に生じるリンギング等の波形歪みを低減し、消去放電を安定に発生させることができる。これにより、走査電極ＳＣｉ上および維持電極ＳＵｉ上の壁電圧を、続く書込みを安定に発生させるに最適な状態に調整することができる。したがって、書込み放電を発生させるために必要な印加電圧を高くすることなく、書込み放電を安定に発生させ、書込み時の動作不良の発生を低減させることができる。
【０１５５】
また、走査電極駆動回路４３において、スイッチング素子Ｑ２１、スイッチング素子Ｑ２２、フォトカプラＰＣ３のオンとオフとの切換えにより、ミラー積分回路５５に入力する定電流の電流量、ツェナーダイオードＤ１０の有無、ミラー積分回路５５に与える電源電圧を切換えられるように構成しているので、１つのミラー積分回路５５を用いて、勾配、開始電圧および到達電位の異なる４つの傾斜電圧、すなわち、第１の傾斜電圧である上りランプ電圧Ｌ１と、第２の傾斜電圧である消去ランプ電圧Ｌ３と、第３の傾斜電圧である維持ランプ電圧Ｌ５と、第４の傾斜電圧である上りランプ電圧Ｌ６とを発生させることができる。
【０１５６】
さらに、ツェナーダイオードＤ１０をミラー積分回路５５に入力される定電流に対して順方向になるように配置しているので、積み上げ電圧は定電流発生回路６０の動作開始時点でのスイッチング素子Ｑ１１のドレイン電圧Ｖｄ１１とコンデンサＣ１０に充電されている電圧により定まり、定電流発生回路６０の動作中にはツェナーダイオードＤ１０には順方向の電圧降下が発生するだけであって、スイッチング素子Ｑ２２のオン、オフは積み上げ電圧に影響を与えない。これによって、スイッチング素子Ｑ２１、スイッチング素子Ｑ２２を１つの制御信号で同時にオン・オフさせる構成のまま、傾斜電圧の開始電圧における積み上げ電圧の有無と傾斜電圧の勾配とをそれぞれ制御することができ、制御信号の数を削減することができる。
【０１５７】
なお、傾斜電圧の波形歪みを低減させるために、ミラー積分回路にエミッタフォロワを追加する構成としてもかまわない。図９は、本発明の一実施の形態における初期化波形発生回路の他の構成例を示す回路図である。例えば、図６に示したミラー積分回路５５に、図９に示すようにトランジスタＱ２０および抵抗Ｒ２０を有するエミッタフォロワを追加してミラー積分回路５８とする構成としてもよい。このような回路構成とすることで、傾斜電圧を発生させる際の波形歪み、特に、スイッチング素子Ｑ１１のドレイン−ソース間電圧の低下にともなうゲート入力容量の増加により、電圧上昇が終了して一定電圧に切換わるところに発生する波形のなまりを低減することが可能となる。
【０１５８】
なお、本実施の形態では、スイッチング素子Ｑ２１、スイッチング素子Ｑ２２にＭＯＳＦＥＴを用いる構成を説明したが、本発明は何らこの構成に限定されるものではなく、例えばフォトカプラ等を用いる構成としてもよい。
【０１５９】
なお、本実施の形態では、消去ランプ電圧Ｌ３を走査電極ＳＣ１〜走査電極ＳＣｎに印加する構成を説明したが、最後の維持パルスを印加する電極が走査電極ＳＣ１〜走査電極ＳＣｎの場合には、消去ランプ電圧Ｌ３を維持電極ＳＵ１〜維持電極ＳＵｎに印加する構成とすることもできる。しかし、本実施の形態においては、最後の維持パルスを印加する電極を維持電極ＳＵ１〜維持電極ＳＵｎにし、消去ランプ電圧Ｌ３を走査電極ＳＣ１〜走査電極ＳＣｎに印加する構成にする方が望ましい。
【０１６０】
また、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【０１６１】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（「ＡＢＢＡ電極構造」と呼称する）のパネルにおいても有効である。
【０１６２】
なお、本実施の形態において示した具体的な各数値、例えば電圧Ｖｅｒｓや電圧Ｖｓｅｔの電圧値、あるいは上りランプ電圧Ｌ１、消去ランプ電圧Ｌ３、維持ランプ電圧Ｌ５、上りランプ電圧Ｌ６の勾配等は、表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等にあわせて最適に設定することが望ましい。また、これらの各数値は、上述した効果を得られる範囲でのばらつきを許容するものとする。また、サブフィールド数や各サブフィールドの輝度重みが本実施の形態に示した値に限定されるものではなく、また、画像信号等にもとづいてサブフィールド構成を切換える構成であってもよい。
【産業上の利用可能性】
【０１６３】
本発明は、大画面化、高精細化されたパネルにおいて、書込み放電を安定に発生させ画像表示品質を向上させるとともに、制御信号を削減して１つの傾斜電圧発生回路から複数の異なる傾斜電圧を発生させることができるので、プラズマディスプレイ装置およびパネルの駆動方法として有用である。
【図面の簡単な説明】
【０１６４】
【図１】本発明の一実施の形態におけるパネルの構造を示す分解斜視図
【図２】同パネルの電極配列図
【図３】本発明の一実施の形態の第１のサブフィールド構成におけるパネルの各電極に印加する駆動電圧波形図
【図４】本発明の一実施の形態の第２のサブフィールド構成におけるパネルの各電極に印加する駆動電圧波形図
【図５】本発明の一実施の形態におけるプラズマディスプレイ装置の回路ブロック図
【図６】同プラズマディスプレイ装置の走査電極駆動回路の一構成例を示す回路図
【図７】本発明の一実施の形態の第１のサブフィールド構成における走査電極駆動回路の動作の一例を説明するためのタイミングチャート
【図８】本発明の一実施の形態の第２のサブフィールド構成における走査電極駆動回路の動作の一例を説明するためのタイミングチャート
【図９】本発明の一実施の形態における初期化波形発生回路の他の構成例を示す回路図
【符号の説明】
【０１６５】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    制御信号発生回路
５０    維持パルス発生回路
５３    初期化波形発生回路
５４    走査パルス発生回路
５５，５６，５８    ミラー積分回路
５７    電源電圧切換え回路
６０，６１    定電流発生回路
ＰＣ３    フォトカプラ
Ｑ１１，Ｑ１４，Ｑ１５，Ｑ２１，Ｑ２２，ＱＨ１〜ＱＨｎ，ＱＬ１〜ＱＬｎ    スイッチング素子
Ｃ１０，Ｃ１２，Ｃ３１    コンデンサ
Ｄ１２，Ｄ３１    ダイオード
Ｄ８，Ｄ９，Ｄ１０，Ｄ１１    ツェナーダイオード
Ｒ８，Ｒ９，Ｒ１０，Ｒ１１，Ｒ１２，Ｒ１３，Ｒ１４，Ｒ１５，Ｒ１８，Ｒ２０    抵抗
ＩＶＮ１    インバーター
Ｑ８，Ｑ９，Ｑ２０    トランジスタ
【図１】
2010019961.tif 000003
【図２】
2010019961.tif 000004
【図３】
2010019961.tif 000005
【図４】
2010019961.tif 000006
【図５】
2010019961.tif 000007
【図６】
2010019961.tif 000008
【図７】
2010019961.tif 000009
【図８】
2010019961.tif 000010
【図９】
2010019961.tif 000011